(57)【要約】【課題】  流水中の塵芥を捕集する回転式の除塵装置を水路へ容易に設置する。【解決手段】  除塵装置のスクリーンフレームの端部から壁面に向かって延びるフレーム張出部を形成して、フレーム張出部の複数箇所にジャッキ機構を配する。そして、フレーム張出部に形成したジャッキ機構を水路の壁面に形成した縦溝部に挿入して、ジャッキ機構で支持する。本発明は前述の構成により、除塵装置を複数箇所に配したジャッキ機構により壁面で支持する。したがって、複数箇所それぞれでの調整が可能であり、縦溝部の壁面にも高い精度を要求しないので、現場施工が簡単であるという優れた作用効果を奏する。また、本発明であれば、除塵装置の設置後、ジャッキ機構の高さを調整することで、スクリーンの傾きを調整可能であるという優れた作用効果を奏する。【選択図】          図１
2018131831.tif 000002
【特許請求の範囲】
【請求項１】
上下に配したホイール間に無端状のチェーンを配して、水路の壁面で端部を支持したスクリーンフレームをガイドとして、周回させることにより、
チェーンに取り付けたスクリーンを水路内で上下に周回させて、水路を流れる流水中の塵芥を捕集する回転式の除塵装置の設置方法において、
スクリーンフレームの端部から壁面に向かって延びるフレーム張出部の先端を壁面に形成した縦溝部に挿入して、
縦溝部の中のフレーム張出部に、支持部までの距離が調整可能なジャッキ機構を配して、スクリーンフレームの端部にあるフレーム張出部をジャッキ機構により壁面で支持した除塵装置の設置方法。
【請求項２】
前記フレーム張出部に孔部を形成して、フレーム張出部の孔部の位置に合わせて固着した固定ナットに調整ボルトを螺合させて貫通させるとともに、調整ボルトの一端に座板を配して支持部とすることにより、支持部までの距離が調整可能なジャッキ機構とし、
壁面の縦溝部を断面コの字型に形成して、ジャッキ機構の支持部を当接させる縦溝部の支持面とフレーム張出部が平行になるように配置し、ジャッキ機構の支持部と縦溝部の支持面を当接させることを特徴とした請求項１に記載の除塵装置の設置方法。
【請求項３】
前記縦溝部の水流下流側の面を支持面とし、縦溝部より水流上流側にスクリーンが位置するようにスクリーンフレームを配置した請求項１又は請求項２に記載の除塵装置の設置方法。
【請求項４】
前記座板の一部にレンチ掛け部を形成した請求項２又は請求項３に記載の除塵装置の設置方法。
【請求項５】
前記スクリーンフレームの上下方向に沿って縦方向に延びるとともに、スクリーンフレームから壁面に向かって横方向に延びるシールゴムを配したことを特徴とする請求項１から請求項４までのいずれか１項に記載の除塵装置の設置方法。
【発明の詳細な説明】
【技術分野】
【０００１】
本発明は、水路を流れる流水から塵芥を捕集する回転スクリーン式の除塵装置の設置方法に関する。
【背景技術】
【０００２】
河川又海等から引き込んで取水する水の中に浮遊する塵芥は、工場等において設備トラブルを引き起こす可能性があるので除去する必要がある。特に発電用に使用される海水等の水は、浮遊するごみが深刻な問題に直結する可能性もあって、清浄な状態が求められており、塵芥の除去に関する要求基準は極めて高いものである。
【０００３】
そのため、水の中に浮遊するごみを取り除く手段として、従来から様々な装置が提案されている。塵芥の種類は、例えば、木片、紙くず、廃プラ、又、生活ゴミ、或いは、草や藻、又は、クラゲ等の水棲生物等、様々である。一般的には、目の大きなバースクリーンにより大型の塵芥を除去した後、細かなスクリーンを使用した除塵装置で、小さな塵芥を除去する。
【０００４】
従来から良く知られている除塵装置としては、回転式のスクリーンを備えるタイプの除塵装置が公知である。回転式のスクリーンを備えた除塵装置として、例えば、トラベリングスクリーン、又ネットスクリーン等、様々な種類がある。そして、スクリーンのタイプとしては、例えば、環状に形成したベルト状のスクリーンタイプ、スクリーンを配したパネルを隙間なく連接させたタイプ、又、バケット部を形成したスクリーンを隙間なく連接させたタイプ等があり、これもまた様々である。
【０００５】
一般的に、回転式のスクリーンを備えるタイプの除塵装置は、スクリーンを取り付けたチェーンを、上下に配した一対のホイール間に掛け渡して周回させる構造となっている。
そして、上下に配したホイールに掛け渡したチェーンが、水路内で上下に周回することにより、スクリーンも周回して、流水中のゴミを捕集する。スクリーンで捕集されたゴミは、通常、スクリーンの周回に合わせて、除塵装置の上部まで持ち上げられて、そこで機外に排出されて、別途、処分される。
【０００６】
スクリーンを取り付けたチェーンを回転させるためのホイールは、一般的に、スプロケット、或いはスプロケットホイールと呼ばれるものが多く使用されている。スプロケットは、円板又は円筒外周面にノッチ等が形成されて、チェーンの節と噛み合わせて動力を伝導するため等に使用されるものである。スプロケットは鎖車とも称されることもある。スプロケットに噛み合わされるチェーンのタイプとしては、ローラチェーン、キャリングチェーン、或いはリンクチェーン等が代表的なものである。
【０００７】
特許文献１に回転式のスクリーンを備えた除塵装置の１例が示されている。特許文献１に開示された除塵装置は、上部に配したスプロケットによりスクリーンを回転させるタイプの除塵装置である。
【先行技術文献】
【特許文献】
【０００８】
【特許文献１】実開昭５１−１３６６３５号公報
【発明の概要】
【発明が解決しようとする課題】
【０００９】
特許文献１に開示された技術は、スクリーンのガイドレールを支持するフレーム（支持フレーム）を、止水ゴムを介して水路の壁面で支持する構造となっている。そして、スクリーンと直交する方向の壁面にフレームを支持するケースでは、壁面にフレーム案内縦溝と呼ぶ溝を形成し、その箇所に止水ゴムを介して支持する構造となっている。止水ゴムを配した理由は、壁面とフレームとの間の隙間を防止するためであると思慮される。
【００１０】
ここで、水路の壁面をコンクリートで施工する場合は、通常、現場施工である。壁面の垂直度や平面度に関しては、作業者の技能に頼るものであり、コンクリートの収縮なども勘案すると、その精度には限界がある。前述したフレーム案内縦溝の施工も、通常、現場施工である。溝の施工方法としては、所謂箱抜きと呼ばれる溝の施工方法が良く知られている。箱抜きは、水路の壁面をコンクリートで打設して作る際に、溝部を形成したい部分に、予め箱形の型枠を埋め込んでおき、その部分にコンクリートが流れ込まないようにコンクリートを打設して溝部を形成する方法である。工事現場で実際に良く使用される方法であるが、型枠の作成と設置は作業者の技能に頼るものであり、コンクリートの収縮なども勘案すると、壁面に精度良く正確な直線の溝を形成するのは容易な作業ではない。
【００１１】
なお、前述したように特許文献１には、止水ゴムを利用して壁面とフレームの隙間を解消する技術が開示されているものと思慮する。しかし、止水ゴムで解消できる壁面とフレームの間の隙間の大きさには限界がある。特に、特にフレーム案内縦溝が意図しない方向に傾いて形成されている場合等において、止水ゴムでの対応は極めて難しい。
【００１２】
また、スクリーンのガイドレールを支持するフレームを水路に固定する方法として、図６に記載した従来技術も公知である。図６に示した従来技術は、予め製作したコの字型のスクリーンガイドを、水路の側壁に形成した溝部に嵌め込んでコンクリートを打設する。
スクリーンガイドを鋼材等で製作すれば直線性が高いので、前述した特許文献１に開示の従来技術等と比較して、直線性の高いガイドを施工することが可能である。
【００１３】
しかし、この方法も、現場での施工が容易ではない。スクリーンガイドを所望の状態で設置するためには、溝の中に精度良くスクリーンガイドを配した状態で二次コンクリートを打設しなければならない。そのため、その段取りに手間と技術を要する技術である。また、この方法は、二次コンクリートを打設する工程が増えるのでコスト高にもつながる。
【００１４】
本発明は、以上、説明したような問題点に鑑みてなされたものであり、水路への設置が容易な除塵装置の設置方法に関する。
【課題を解決するための手段】
【００１５】
上記の目的を達成するため、本発明による除塵装置の設置方法は、
（１）  上下に配したホイール間に無端状のチェーンを配して、水路の壁面で端部を支持したスクリーンフレームをガイドとして、周回させることにより、チェーンに取り付けたスクリーンを水路内で上下に周回させて、水路を流れる流水中の塵芥を捕集する回転式の除塵装置の設置方法において、スクリーンフレームの端部から壁面に向かって延びるフレーム張出部の先端を壁面に形成した縦溝部に挿入して、縦溝部の中のフレーム張出部に、支持部までの距離が調整可能なジャッキ機構を配して、スクリーンフレームの端部にあるフレーム張出部をジャッキ機構により壁面で支持した。
【００１６】
（２）（１）に記載の除塵装置の設置方法において、前記フレーム張出部に孔部を形成して、フレーム張出部の孔部の位置に合わせて固着した固定ナットに調整ボルトを螺合させて貫通させるとともに、調整ボルトの一端に座板を配して支持部とすることにより、支持部までの距離が調整可能なジャッキ機構とし、壁面の縦溝部を断面コの字型に形成して、ジャッキ機構の支持部を当接させる縦溝部の支持面とフレーム張出部が平行になるように配置し、ジャッキ機構の支持部と縦溝部の支持面を当接させる。
【００１７】
（３）（１）又は（２）に記載の除塵装置の設置方法において、前記縦溝部の水流下流側の面を支持面とし、縦溝部より水流上流側にスクリーンが位置するようにスクリーンフレームを配置した。
【００１８】
（４）（２）又は（３）に記載の除塵装置の設置方法において、前記座板の一部にレンチ掛け部を形成した。
【００１９】
（５）（１）から（４）までのいずれか１項に記載の除塵装置の設置方法において、前記スクリーンフレームの上下方向に沿って縦方向に延びるとともに、スクリーンフレームから壁面に向かって横方向に延びるシールゴムを配した。
【発明の効果】
【００２０】
本発明によれば、除塵装置の水路への設置が容易になる。
【図面の簡単な説明】
【００２１】
【図１】本発明の実施形態に係わり除塵装置の支持部構造を説明する図である。
【図２】本発明の実施形態に係わりジャッキ機構の構造を説明する図である。
【図３】本発明の実施形態に係りジャッキ機構の配置を説明する図である。
【図４】本発明の実施形態に係りジャッキ機構の動作を説明する概念図である。
【図５】本発明の実施形態に係り除塵装置の全体構成を説明する参考図である。
【図６】従来技術に関する除塵装置の支持部構造を説明する図である。
【発明を実施するための形態】
【００２２】
以下、図面等に基づき本発明の好ましい実施形態の１例について詳細に説明する。
図１から図５は、本発明の実施形態に係わりその好ましい１例を示したものであって、図１は除塵装置の支持部構造を説明する図である。図２から図４はジャッキ機構に関する説明図であり、図２は構造を説明する図であり、図３は配置を説明する図であり、図４は動作を説明する図である。図５は除塵装置の全体構成を説明する参考図である。
【００２３】
以下、本実施形態に係る除塵装置１００の好ましい構成について説明する。
本実施形態に使用した除塵装置１００は、回転式のスクリーンを備えるタイプであって、図５に示すように駆動装置１１０とスクリーン１０５を備えている。スクリーン１０５は、バケット部を備えた横長いスクリーン（金網）を複数本隙間なく連接させて環状とし、一つの大きなスクリーンとして形成するタイプで、トラベリングスクリーンと称されることもある。
【００２４】
スクリーン１０５は、その幅方向において、水路において水流の流れる方向と直交するように配されており、水路の両側に形成されている左右の壁面である側壁２０１の間を掛け渡すように設置されている。そして、スクリーン１０５は上下垂直方向に移動して周回するように構成されている。
【００２５】
図５においては、ホイール１０３Ａと１０３Ｂの間に、リング状に結ばれて無端状に形成されたチェーン１０２が掛け渡して配されている。図５に示す実施形態では、スクリーン１０５の左右両端をチェーン１０２に取り付けるため、水路の左右両側に１本ずつ、合計２本のチェーン１０２が配されている。
【００２６】
なお、本実施形態では、ホイール１０３Ａ及び１０３Ｂとして、外周に歯車が切られたスプロケットホイールを使用し、チェーン１０２としてキャリングチェーンを使用した。
しかし、本発明に適応できるホイール１０３Ａ又１０３Ｂとチェーン１０２の構成はこれに限らず、ホイール１０３Ａ又１０３Ｂは使用するチェーン１０２を確実に駆動して回転させる構造のものであれば良く、チェーン１０２の種類も、スクリーン１０５を取り付けた状態でホイール１０３Ａ及び１０３Ｂにより回転させることができる種類のものであれば良く、ローラチェーン、或いはリンクチェーン等であっても良く、本発明の技術思想を逸脱しない範囲内において特に限定されない。
【００２７】
また、図５に示す形態では説明を簡単にするため、スクリーン１０５が垂直方向に移動して周回するように構成されているが、スクリーン１０５を傾けた状態で設置する方式であっても良い。その場合は、後述する縦溝部２０１Ａを全体的に傾けて形成し、スクリーンフレーム２０を傾けて設置すれば良い。
【００２８】
スクリーン１０５の左右両端は、それぞれの側にあるチェーン１０２に連結されて取り付けられている。本実施形態では上部に配したホイール１０３Ａを回転させることにより、チェーン１０２が、上部のホイール１０３Ａと下部のホイール１０３Ｂの間を周回する。そして、スクリーン１０５は、チェーン１０２の回転にあわせて、ホイール１０３Ａと１０３Ｂの間を周回して、水流中の塵芥（ゴミ等と称することもある）を捕集する構造となっている。捕集された塵芥は上部に持ち上げられて、そこで排出されて、別途、処分される。
【００２９】
図１にスクリーン１０５の取り付け構造を示す。
複数のスクリーンを連接して環状としたスクリーン１０５の幅方向両端にチェーン１０２を連結した後、チェーン１０２が所定の軌道で周回するようにするためのガイドを水路内に設置する。本実施形態においては、コの字型のチェーン挿入部を有したスクリーンフレーム２０をスクリーン１０５の左右両側に設置して、スクリーン１０５の両端に連結したチェーン１０２を挿入部に挿入した。
【００３０】
挿入部の水流下流側にあたる面には、チェーン１０２のガイド面を形成し、チェーン１０２が周回運動中、スクリーンフレーム２０のガイド面に当接するように配置することで、チェーン１０２が、スクリーンフレーム２０に沿って動くように構成する。
【００３１】
スクリーンフレーム２０の左右両端の先端側には、それぞれ左右の側壁２０１に向かって延びるフレーム張出部としてフレーム張出板２０Ａを形成した。
なお、本実施形態においては、スクリーン１０５を設置する位置とフレーム張出部であるフレーム張出板２０Ａの位置の関係について、水流の上流側から下流側の方向に、若干ずらして配置した。図１に配置を示す。本実施形態では、スクリーンフレーム１０５の一部を水路方向に沿って延ばすことによって、後述するジャッキ機構１０の座板１７が、スクリーン１０５の位置と一致しないように配置した。
【００３２】
具体的に説明すれば、縦溝部２０１Ａの水流下流側の面を、後述するジャッキ機構１０の座板１７を支持する支持面として、縦溝部２０１Ａの支持面より水流上流側にスクリーン１０５が位置するようにして、スクリーンフレーム２０を配置した。
本実施形態では、前述の構成により、後述するジャッキ機構１０の座板１７が、スクリーン１０５の位置と一致しないように配置することによって、水路側から座板１７に対してレンチ作業などのアプローチが行えるように構成した。
【００３３】
図５（２）に示すように、スクリーン１０５は、水路を縦方向上下に周回移動する。そのため、通常、上流側にあるスクリーン１０５の下流側に入り込むためには、下流側のスクリーン１０５が邪魔になる可能性がある。縦溝部２０１Ａに配されたジャッキ機構１０の座板１７について、後述するレンチ作業などを行う際には、例えば、スクリーンフレーム２０に取り付けたスクリーン１０５を一部外す等の方法により、水路下流側からレンチ作業などのアプローチが可能である。  
【００３４】
また、スクリーン１０５の上流側部分（本実施形態においては図５の（２）の回転方向下から上のスクリーン部）と、下流側部分（本実施形態においては図５の（２）の回転方向上から下のスクリーン部）について、本実施形態では、上流側部分を縦溝部２０１Ａによりガイドした形態を示す。下流側部分については、ガイドする形態であってもガイドしない形態であっても良い。
【００３５】
ここで、フレーム張出板２０Ａには、それぞれ、ジャッキ機構１０を配した状態とする。ジャッキ機構１０の構成については後述するが、縦溝部２０１Ａの中においては、フレーム張出板２０Ａに形成したジャッキ機構１０によって、スクリーンフレーム２０を水路両側の側壁２０１で支持する構成とした。
【００３６】
なお、側壁２０１に形成した縦溝部２０１Ａは水路の上下方向に延びる溝で、スクリーン１０５の周回軌道に合わせて形成する。側壁２０１の縦溝部２０１Ａは断面コの字型に形成されて、ジャッキ機構１０の支持部を当接させる縦溝部２０１Ａの支持面を形成する。
【００３７】
縦溝部２０１Ａの形成方法としては、前述した箱抜きと呼ばれる溝の施工方法が使用できる。側壁２０１をコンクリートで打設して作る際に、コンクリートの打設箇所に予め箱形の型枠を埋め込んでおくことによって、その部分にコンクリートが流れ込まないようにすることにより縦溝部２０１Ａを形成する方法である。
【００３８】
以下、図２又図３を参考にしながら、フレーム張出板２０Ａに形成したジャッキ機構１０の構成について説明する。
スクリーン１０５の周回軌道に合わせて縦方向に延びるフレーム張出板２０Ａには、縦方向に並んだ複数個所の孔部を形成する。そして、フレーム張出板２０Ａの孔部の位置に合わせて固定ナット１５を固着する。なお、本実施形態においては、フレーム張出板２０Ａの水流下流側の面に対して、六角ナットを溶接して固着することにより、固定ナット１５とした。
【００３９】
フレーム張出板２０Ａの孔部の位置に合わせて固着した固定ナット１５に調整ボルト１２を螺合させて貫通させる。フレーム張出板２０Ａの孔部の位置に固着した固定ナット１５に螺合及び貫通した調整ボルト１２が回転すると、フレーム張出板２０Ａを基点に調整ボルト１２が進退する。そして、調整ボルト１２の一端に、座板１７を配して支持部とすることにより、支持部までの距離が調整可能なジャッキ機構１０を構成した。
【００４０】
なお、本実施形態においては、座板１７の六角部１７Ａは調整ボルト１２の一端に溶接等の手法により固着している。丸板部１７Ｂは六角部１７Ａに固着しても良いが、必ずしも固着する必要はなく、後述する設置の際に六角部１７Ａと支持面の間に挟み込むようにして設置しても良い。
【００４１】
図３に調整ボルト１２と座板１７の配置を図示する。調整ボルト１２及び座板１７は、一定間隔Ｐｔで縦方向に並んで複数個所配される。言い換えれば、調整ボルト１２や座板１７で構成されているジャッキ機構１０が一定間隔Ｐｔで縦方向に並んで複数個所配されている。
【００４２】
前述したように本実施形態では、調整ボルト１２の一端に座板１７を配して支持部とすることにより、支持部までの距離が調整可能なジャッキ機構１０としている。
なお、ジャッキ機構１０の支持部を当接させる縦溝部２０１Ａの支持面とフレーム張出板２０Ａが平行になるように配置すれば、支持部である座板１７による力が、縦溝部２０１Ａの支持面に対して直交する方向で負荷されることになる。縦溝部２０１Ａの支持面に対して直交する方向で力が負荷されれば、支持面に対する負荷の偏りが小さくなるので好ましい。
【００４３】
ここで、本実施形態においては、構成が簡単で小さく設置し易いという理由から、調整ボルト１２及び固定ナット１５等を使用して機械式のねじジャッキ機構を採用している。
しかし、本発明に使用できるジャッキ機構１０の構成が本実施形態に限らないことは勿論であって、例えば、リンク式等の他の機械式ジャッキ機構、油圧式ジャッキ機構、又電動式ジャッキ機構等、本発明の技術思想を逸脱しない範囲において使用が可能である。
【００４４】
なお、支持面が傾いている等の原因により、縦溝部２０１Ａの支持面に対して直交する方向で力を負荷できないようなケースが想定される。そのようなケースにおいては、例えば、調整ボルト１２と丸板部１７Ｂの間に球面座を配することにより、支持面と丸板部１７Ｂを密着させれば、支持面に掛かる力が分散するという言う点で好ましい。
【００４５】
また、本実施形態では、座板１７を六角部１７Ａと丸板部１７Ｂで形成した。この構成であれば、調整ボルト１２を回転させて座板１７の位置を調整する際において、六角部１７をレンチ掛け部として、調整ボルト１２を回転させることが可能であり、調整が容易になる。しかし、本実施形態に適応できる座板１７の構成はこれに限らないことは勿論であって、例えば、一枚の丸板等を用いて座板１７としても良く、本発明の技術思想を逸脱しない範囲で変更が可能である。なお、前述したように、本実施形態では、座板１７を、スクリーン１０５の位置と一致しないように配置することによって、水路側から座板１７に対してレンチ作業などのアプローチが行える。
【００４６】
さらに、本実施形態においては、縦溝部２０１Ａから下流側に流れる水流を防止するため、図１に示すように、スクリーンフレーム２０の上流側面に、スクリーンフレーム２０から水路側壁に向かって横方向に延びるシールゴム３１を、スクリーンフレーム２０の上下方向全面に配した。  
【００４７】
以下、除塵装置１００の設置方法を説明する。
除塵装置１００を設置する前の工程として、コンクリート等を打設して水路の側壁を形成する際に、前述した箱抜き等の施工方法により、スクリーン１０５を配置する箇所に合わせて、予め縦溝部２０１Ａを形成する。
【００４８】
そして、フレーム張出板２０Ａにジャッキ機構１０を備えたスクリーンフレーム２０を形成しておき、縦溝部２０１Ａに沿って上部から搬入して設置する。この際には、スクリーンフレーム２０の左右両端に形成したフレーム張出板２０Ａとジャッキ機構１０が前述した縦溝部２０１Ａの中に確実に入るように注意する。スクリーンフレーム２０の設置に際して、予め水路の底面等に位置決めピンを設置しておき、下部の位置をセットするようにして搬入すれば、より効率的な搬入作業が可能になる。
【００４９】
この際において、予めジャッキ機構１０についてフレーム張出板２０Ａから座板１７までの距離を調整しておけば、スクリーンフレーム２０を縦溝部２０１Ａの中に落とし込んで配しただけで、セッティングがほぼ完了する。
【００５０】
微調整する場合には、水路の中に設置したスクリーン１０５の傾き等を計測し、所望の状態になるように、ジャッキ機構１０を調整する。或いは、水路の中に設置したスクリーンフレーム２０の傾き等を計測し、所望する傾きになるように、ジャッキ機構１０を調整しても良い。具体的には、水路に入った作業者が、座板１７に対してレンチ作業し、ジャッキ機構１０にある座板１７の六角部１７Ａを回転させる。
【００５１】
前述したように六角部１７Ａは調整ボルト１２の一端に溶接等の手法により固着されているので、六角部１７Ａを回転させることにより調整ボルト１２が回転する。そして、調整ボルト１２を回転させることによって、フレーム張出板２０Ａと座板１７の距離を調整する。
【００５２】
即ち、本実施形態においては、縦溝部２０１Ａの水流下流側の面を支持面として、ジャッキ機構１０の支持部である座板１７を当接させることにより、スクリーンフレーム２０の両端にあるフレーム張出板２０Ａをジャッキ機構１０により水路両側の側壁２０１で支持する。そして、スクリーン１０５又はスクリーンフレーム２０の傾きを調整して所望の状態に設置する。
【００５３】
本実施形態においては、複数箇所に配したジャッキ機構１０を、必要に応じて、適宜、それぞれの箇所で調整できるので、それぞれの箇所にあった状態に調整が可能である。前述したように、箱抜き等の技法により施工された縦溝部２０１Ａの精度は必ずしも良くないが、本実施形態であれば、それぞれの箇所で適宜状態を確認しながら容易に調整できるので、ジャッキ機構１０の座板１７を水路両側の側壁２０１に確実に当接させることができる。
【００５４】
また、スクリーンフレーム２０にスクリーン１０５をセットした状態で縦溝部２０１Ａに搬入してから後、ジャッキ機構１０を調整しても良い。さらには、一定期間、除塵装置１００を使用してから後、状況を見て、適宜、ジャッキ機構１０による調整を行っても良く、調整時期は特に限定されない。
【００５５】
参考までにジャッキ機構１０の調整方法を図４に図示する。フレーム張出板２０Ａと側壁２０１の支持面までの距離を図４（１）に示すようにＬ１とした場合に、調整ボルト１２を反時計回り（左回転）させれば、図４（２）に示すようにＬ２（Ｌ２＜Ｌ１）となり距離が短くなる。また、調整ボルト１２を時計回り（右回転）させれば図４（３）に示すようにＬ３（Ｌ１＜Ｌ３）となり距離が長くなる。
【００５６】
本実施形態によれば、縦溝部２０１Ａについて、高い製作精度を要求しない。そのため、現場施工が簡単である。また、除塵装置１００の設置後、スクリーン１０５の傾きを、上下方向、或いは左右方向で調整したいようなケースにおいても、座板１７をレンチで回転させるという作業で調整でき、除塵装置１００のスクリーン１０５の傾きを、適宜、所望の状態に調整することが可能である。
【００５７】
なお、本実施形態においては、水路の両側壁面で、スクリーンフレーム２０の両端を、ジャッキ機構を使用して、支持する構成を説明した。しかし、本発明に適応できる範囲はこれに限らず、スクリーンフレーム２０の両端の中で、どちらか一方を、ジャッキ機構１０で支持する構成であれば良く、特に限定されない。また、本実施形態においては、水路に直交するスクリーン１０５を垂直に設置する例を示したが、スクリーン１０５については水路に対して左右又上下に傾いた状態で設置しても良く、特に限定されない。
【産業上の利用可能性】
【００５８】
以上のように本願発明に係わる除塵装置の設置方法は、現場施工が必要な箇所で特に好適に使用できる。
【符号の説明】
【００５９】
１０      ジャッキ機構
１２      調整ボルト
１５      固定ナット
１７      座板
１７Ａ    六角部
１７Ｂ    丸板部  
２０      スクリーンフレーム
２０Ａ    フレーム張出板
３１      シールゴム
１００    除塵装置
１０２    チェーン
１０５    スクリーン
１１０    駆動装置
２０１    側壁
２０１Ａ  縦溝部
１０３Ａ  ホイール（上側）
１０３Ｂ  ホイール（下側）
【図１】
2018131831.tif 000003
【図２】
2018131831.tif 000004
【図３】
2018131831.tif 000005
【図４】
2018131831.tif 000006
【図５】
2018131831.tif 000007
【図６】
2018131831.tif 000008